【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】インクジェット記録方法およびインクジェット記録装置
【手続補正２】
【補正対象書類名】明細書
【補正対象項目名】特許請求の範囲
【補正方法】変更
【補正の内容】
【特許請求の範囲】
【請求項１】  複数の吐出口と、該複数の吐出口からインクを吐出させるための熱エネルギーを発生させる電気熱変換素子を有する液体吐出ヘッドを用いて被記録媒体に記録を行うインクジェット記録方法であって、
前記液体吐出ヘッドの温度を取得し、前記電気熱変換素子に印加する駆動パルス幅と駆動電圧の設定変更を行う設定ステップと、
前記設定ステップの設定結果に基づいた、前記駆動パルス幅と前記駆動電圧により前記電気熱変換素子を駆動制御する制御ステップと、
を有し、前記設定ステップは、前記液体吐出ヘッドの温度が相対的に高温であるほど前記駆動パルス幅を相対的に短く設定するとともに、前記駆動電圧が相対的に高くなるように設定することを特徴とするインクジェット記録方法。
【請求項２】  前記設定ステップは、前記液体吐出ヘッドの温度と所定の温度とを比較する判定ステップを含み、前記判定ステップで、前記液体吐出ヘッドの温度が前記所定の温度を超えたと判定されたときに、前記駆動パルス幅を短く、前記駆動電圧を高く変更することを特徴とする請求項１に記載のインクジェット記録方法。
【請求項３】  前記所定の温度は、液体吐出ヘッドにおけるリフィル周波数が駆動周波数より低くなる範囲の温度であることを特徴とする請求項２に記載のインクジェット記録方法。
【請求項４】  前記制御ステップは、１回のインク吐出動作に対し複数個のパルスを駆動パルスとして出力することを特徴とする請求項１ないし３のいずれか記載のインクジェット記録方法。
【請求項５】  前記電気熱変換素子に印加されるエネルギーは、前記液体吐出ヘッドの温度によらずほぼ一定であることを特徴とする請求項１ないし４のいずれかに記載のインクジェット記録方法。
【請求項６】  前記設定ステップは、前記液体吐出ヘッドが前記被記録媒体に記録を行う際、前記被記録媒体へ記録開始前に、前記駆動パルス幅と前記駆動電圧の変更を行うことを特徴とする請求項１ないし５のいずれかに記載のインクジェット記録方法。
【請求項７】  前記設定ステップは、前記液体吐出ヘッドが走査方向に走査する毎に、前記駆動パルス幅と前記駆動電圧の変更を行うことを特徴とする請求項１ないし６のいずれかに記載のインクジェット記録方法。
【請求項８】  複数の吐出口と、該複数の吐出口からインクを吐出させるための熱エネルギーを発生させる電気熱変換素子を有する液体吐出ヘッドを用いて被記録媒体に記録を行うインクジェット記録装置であって、
前記液体吐出ヘッドの温度を取得し、前記電気熱変換素子に印加する駆動パルス幅と駆動電圧の設定変更を行う設定手段と、
前記設定手段の設定結果に基づいた、前記駆動パルス幅と前記駆動電圧により前記電気熱変換素子を駆動制御する制御手段と、
を具え、前記設定手段は、前記液体吐出ヘッドの温度が相対的に高温であるほど前記電気熱変換素子に印加する前記駆動パルス幅を相対的に短くなるよう設定し、前記駆動電圧が相対的に高くなるように設定することを特徴とするインクジェット記録装置。
【請求項９】  前記設定手段は、前記液体吐出ヘッドの温度と所定の温度とを比較する判定手段を含み、前記判定手段が、前記液体吐出ヘッドの温度が前記所定の温度を超えたと判定したときに、前記駆動パルス幅を短く、前記駆動電圧を高く変更することを特徴とする請求項８に記載のインクジェット記録装置。
【請求項１０】  前記所定の温度は、液体吐出ヘッドにおけるリフィル周波数が駆動周波数より低くなる範囲の温度であることを特徴とする請求項９に記載のインクジェット記録装置。
【請求項１１】  前記制御手段は、１回のインク吐出動作に対し複数個のパルスを駆動パルスとして出力することを特徴とする請求項８ないし１０のいずれかに記載のインクジェット記録装置。
【請求項１２】  前記電気熱変換素子に印加されるエネルギーは、前記液体吐出ヘッドの温度によらずほぼ一定であることを特徴とする請求項８ないし１１のいずれかに記載のインクジェット記録装置。
【請求項１３】  前記電気熱変換素子は、発熱抵抗層およびそれを覆う２，０００〜４，０００Åの厚さのＳｉＮにて形成された保護層をさらに有することを特徴とする請求項８ないし１２のいずれかに記載のインクジェット記録装置。
【請求項１４】  前記電気熱変換素子は、前記保護層の上にさらに耐キャビテーション層を備え、前記発熱抵抗層を覆う層の合計厚さが４,０００〜６，６００Åの範囲であることを特徴とする請求項１３に記載のインクジェット記録装置。
【請求項１５】  前記耐キャビテーション層は、Ｔａ層を含むことを特徴とする請求項１４に記載のインクジェット記録装置。
【手続補正３】
【補正対象書類名】明細書
【補正対象項目名】０００１
【補正方法】変更
【補正の内容】
【０００１】
【発明の属する技術分野】
本発明はインクジェット記録方法およびインクジェット記録装置に関し、詳しくはインクを吐出するために利用される熱エネルギーを発生するための電気熱変換素子を有した液体吐出ヘッドの駆動制御に関するものである。
【手続補正４】
【補正対象書類名】明細書
【補正対象項目名】００１５
【補正方法】変更
【補正の内容】
【００１５】
本発明は、上述の問題を解決するためになされたものであり、その目的とするところは、記録ヘッドの昇温時のリフィル特性の低下に伴う画像劣化を回避し、かつ記録速度の低下を防ぐことができるインクジェット記録方法およびインクジェット記録装置を提供することにある。
【手続補正５】
【補正対象書類名】明細書
【補正対象項目名】００１６
【補正方法】変更
【補正の内容】
【００１６】
【課題を解決するための手段】
そのために本発明では、複数の吐出口と、該複数の吐出口からインクを吐出させるための熱エネルギーを発生させる電気熱変換素子を有する液体吐出ヘッドを用いて被記録媒体に記録を行うインクジェット記録方法であって、前記液体吐出ヘッドの温度を取得し、前記電気熱変換素子に印加する駆動パルス幅と駆動電圧の設定変更を行う設定ステップと、前記設定ステップの設定結果に基づいた、前記駆動パルス幅と前記駆動電圧により前記電気熱変換素子を駆動制御する制御ステップと、を有し、前記設定ステップは、前記液体吐出ヘッドの温度が相対的に高温であるほど前記駆動パルス幅を相対的に短く設定するとともに、前記駆動電圧が相対的に高くなるように設定することを特徴とする。
また、複数の吐出口と、該複数の吐出口からインクを吐出させるための熱エネルギーを発生させる電気熱変換素子を有する液体吐出ヘッドを用いて被記録媒体に記録を行うインクジェット記録装置であって、前記液体吐出ヘッドの温度を取得し、前記電気熱変換素子に印加する駆動パルス幅と駆動電圧の設定変更を行う設定手段と、前記設定手段の設定結果に基づいた、前記駆動パルス幅と前記駆動電圧により前記電気熱変換素子を駆動制御する制御手段と、を具え、前記設定手段は、前記液体吐出ヘッドの温度が相対的に高温であるほど前記電気熱変換素子に印加する前記駆動パルス幅を相対的に短くなるよう設定し、前記駆動電圧が相対的に高くなるように設定することを特徴とする。